(57)【要約】【課題】画面への視線を一定に保つことができ、かつ直感的な入力操作を行うことができる電子機器及び撮像装置を提供する。【解決手段】オブジェクトを表示するとともに、使用者の視点方向にＬＣＤ４の画面が向くように設けられた表示部と、使用者の視点方向とは反対方向から操作され、表示部の背面に接触を検出する平板状の操作面を有する操作入力部と、画面に表示されたオブジェクトに対して操作入力部における操作を制御する制御部とを備える。【選択図】図４
2006100998.tif 000002
【特許請求の範囲】
【請求項１】
オブジェクトを表示するとともに、画面の表示方向が所定方向に向くように設けられた表示部と、
上記画面の背面側から操作され、接触を検出する平板状の操作面を有し、上記表示部の背面に設けられた操作入力部と、
上記画面に表示されたオブジェクトに対して上記操作入力部における操作を制御する制御部とを備えることを特徴とする電子機器。
【請求項２】
上記制御部は、上記画面に表示されたオブジェクトに対応する操作面上の位置で上記操作入力部における操作を制御することを特徴とする請求項１記載の電子機器。
【請求項３】
上記画面と上記操作面とは同じ大きさであることを特徴とする請求項２記載の電子機器。
【請求項４】
上記制御部は、上記画面の位置を示すポインタの上記操作面における操作を、上記操作面上の操作方向と上記画面上のポインタ移動方向とが鏡像関係となるように制御することを特徴とする請求項１記載の電子機器。
【請求項５】
上記制御部は、上記ポインタに対応する操作面上の位置で上記操作入力部における操作を制御することを特徴とする請求項４記載の電子機器。
【請求項６】
撮像部と、
上記撮像部により撮像された画像を表示するとともに、画面の表示方向が所定方向に向くように可動する表示部と、
上記画面の背面側から操作され、接触を検出する平板状の操作面を有し、上記表示部の背面に設けられた操作入力部と、
上記画面に表示されたオブジェクトに対応する操作面上の位置で操作を制御する制御部とを備えることを特徴とする撮像装置。
【請求項７】
上記画面と上記操作面とは同じ大きさであることを特徴とする請求項６記載の撮像装置。
【発明の詳細な説明】
【技術分野】
【０００１】
本発明は、画面上のオブジェクトを選択することができる電子機器及び撮像装置に関する。
【背景技術】
【０００２】
近年、電子機器の多機能化が進んでいる。例えば、撮像装置では、動画機能だけでなく、動画に対して何らかの効果を与えて加工する機能や半導体メモリーカードに対して静止画を記録する機能などが備えられているものが多い。そして、使用者は、それらの機能の設定操作を撮像しながら行えるようになっている。例えば、撮像画像を背景に設定メニューが表示され、使用者がいわゆるタッチパネルに直接触れて操作することにより、機能の選択や決定などが行われる。しかし、タッチパネル方式では、ディスプレイ上に表示されるアイコンやメニューボタンを使用者が指でポイントしなければならず、表示部のパネルが手垢や指紋により汚れ、さらには傷ついてしまうことがあった。
【０００３】
このような問題を解決する技術として、特許文献１〜４には、表示画面の背面に入力手段を設ける構成が記載されている。特許文献１及び特許文献２には、文字入力に特化したキーボード、また、特許文献３には、操作選択キーを設ける構成が記載されている。また、特許文献４には、タッチパネルを設けることが記載されている。
【０００４】
【特許文献１】特開平８−１３７８０１号公報
【特許文献２】特開平１１−３１５９号公報
【特許文献３】特開２００２−３５４０８５号公報
【特許文献４】実開平８−１６７０号公報
【発明の開示】
【発明が解決しようとする課題】
【０００５】
しかしながら、特許文献１及び特許文献２では、入力手段が文字入力に特化したキーボードであるため、その操作方法は簡単ではなく、使用者の習熟が必要である。また、特許文献３では、入力操作が容易な操作選択キーが設けられているが、表示画面に表示された目的のアイコンに到達するためには、その操作選択キーを繰り返し押さなければならず、直感的な操作方法ではない。また、特許文献４では、直感的な操作が可能なタッチパネルを設けているが、画面領域の中で使用者の細かな操作、確実な操作が必要となる。特に、近年、携帯性を向上させるために電子機器が小型化し、画面領域が限られたものとなっているため、使用者の指のサイズを考慮すると、画面上に同時に表示することができるボタンの数は制限されてしまう。
【０００６】
また、電子機器の中でも特に撮像装置では、タッチパネルを使用すると、撮像画像が表示されている画面を指で覆い隠してしまうだけでなく、画面の汚れや傷により撮像画像が鮮明に表示できないことがあった。また、操作キーによって撮像しながら操作する場合には、画面と操作キーの間に視線の移動が必要であった。
【０００７】
本発明は、このような従来の実情に鑑みて提案されたものであり、画面への視線を一定に保つことができ、かつ直感的な入力操作を行うことができる電子機器及び撮像装置を提供することを目的とする。
【課題を解決するための手段】
【０００８】
上述した目的を達成するために、本発明に係る電子機器は、オブジェクトを表示するとともに、画面の表示方向が所定方向に向くように設けられた表示部と、上記画面の背面側から操作され、接触を検出する平板状の操作面を有し、上記表示部の背面に設けられた操作入力部と、上記画面に表示されたオブジェクトに対して上記操作入力部における操作を制御する制御部とを備えることを特徴としている。
【０００９】
また、本発明に係る撮像装置は、撮像部と、上記撮像部により撮像された画像を表示するとともに、画面の表示方向が所定方向に向くように可動する表示部と、上記画面の背面側から操作され、接触を検出する平板状の操作面を有し、上記表示部の背面に設けられた操作入力部と、上記画面に表示されたオブジェクトに対応する操作面上の位置で操作を制御する制御部とを備えることを特徴としている。
【発明の効果】
【００１０】
本発明によれば、オブジェクトを表示するとともに、画面の表示方向が所定方向に向くように設けられた表示部と、画面の背面側から操作され、接触を検出する平板状の操作面を有し、表示部の背面に設けられた操作入力部と、画面に表示されたオブジェクトに対して操作入力部における操作を制御する制御部とを備えることにより、使用者は、画面への視線を一定に保つことができ、かつ直感的な入力操作を行うことができる。
【発明を実施するための最良の形態】
【００１１】
以下、本発明を適用した具体的な実施の形態について、図面を参照して説明する。図１及び図２は、本実施の形態における撮像装置１を示す外観斜視図である。
【００１２】
撮像装置１は、図１に示すようにレンズ２と画面上に表示されたオブジェクトを選択可能な操作面３とを備えている。以下、レンズ２に光が入射する面を正面とする。また、図２に示すように操作面３の背面にはＬＣＤ（Liquid Crystal Display）４が備えられており、ＬＣＤ４の背面から画面上に表示されたボタン等のオブジェクトが選択可能となっている。この操作面３及びＬＣＤ４は、ヒンジにより開閉可能に設置され、図１に示すように、撮像装置１の筐体の側面に操作面３又はＬＣＤ４を配置することができる。また、ＬＣＤ４の画面と操作面３とは、平行であることが好ましい。撮像装置１の背面には、ファインダ５とスイッチ６とが備えられている。
【００１３】
操作面３は、接触を検出する平板状であって、使用者の指などが接触した操作面のＸ−Ｙ座標軸の位置に対応して、ＬＣＤ４の画面上に表示されたオブジェクトの選択を操作する。この指などの接触を検出する操作面には、圧力による電圧変化を検出する感圧式や、層状にＸ電極とＹ電極を形成し、その格子状の電極間における静電容量の変化を検出する静電容量式などのタッチパッドを用いることができる。
【００１４】
ＬＣＤ４は、操作面３の背面に配置され、撮像された画像を表示するファインダ機能を有している。
【００１５】
このような構成により、使用者は、撮像しながらＬＣＤ４の背面にある操作面３を指で触り、ＬＣＤ４の画面上にあるオブジェクトを選択・決定し、設定変更などを行うことができる。
【００１６】
図３は、撮像装置１の内部構成を示すブロック図である。撮像装置１は、スイッチ６に対応する操作スイッチ３１と、操作面３を有する補助入力装置３２と、操作スイッチ３１及び補助入力装置３２を制御するコントローラ３３と、ボタンやメニューなどのグラフィックスを用いて画面上に表示するＧＵＩ（Graphical User Interface）３４と、レンズ２を介した被写体をＣＣＤ（Charge Coupled Device）を用いて結像させ、ディジタル画像データを生成する撮像部３５と、ディジタル画像データの信号処理を行う画像処理部３６と、ディジタル画像データを表示するＬＣＤ４に対応する表示部３７とを備えている。
【００１７】
補助入力装置３２は、例えば、ポインティングデバイス等の入力デバイスであって、図１に示す操作面３に対応している。
【００１８】
表示部３７は、図２に示すＬＣＤ４に対応しており、撮像部３５で撮像された画像やＧＵＩ３４によりボタンなどを表示する。
【００１９】
次に、補助入力装置３２の操作方法について図４を参照して説明する。ＬＣＤ４の画面には、ＧＵＩ３４によりプログラムが登録されたボタン等のオブジェクトが表示されている。そして、例えば、使用者の指が所望のボタンに対応した操作面３上の領域に接触することにより、所望のボタンのプログラムを選択・実行することができる。
【００２０】
図５は、画面５０と操作面６０とを示している。この画面５０には、プログラムが登録されたボタン５１〜５９が表示されている。この画面５０の背面には、画面５０の大きさとほぼ等しい操作面６０が配置されている。この操作面６０は、画面５０のボタン５１〜５９に連動した領域６１〜６９で接触を検出する。例えば、使用者が画面５０を見ながら、スポット測光ボタン５５に対応する操作面上の領域６５を指７０でタップ操作することにより、操作面上の領域６５にて接触が検出され、スポット測光のプログラムが選択・決定される。このように、画面５０のオブジェクトに対応した操作面６０上の位置で操作するようにすることにより、使用者は、画面５０を確認しながら、画面５０の背面から直感的に入力操作を行うことができる。
【００２１】
図６は、オブジェクトの選択・決定操作を行う操作面３におけるタップ操作のタイミングを示す図である。ここでは、感圧式の操作面３におけるタップ操作について説明する。図５に示す指７０が操作面６０に接触している場合、指７０の圧力によりその部分の圧力検出素子の電気抵抗が変化するとともに電圧が変化し、その部分は電圧ＯＮとなる。また、指７０が操作面６０に接触していない場合は、電圧が変化しないので電圧ＯＦＦとなる。これらの判定は、図３に示すコントローラ３３で行われる。
【００２２】
コントローラ３３は、電圧ＯＦＦを検出することにより、タップタイマをスタートさせ、タップタイマ１周期にタップが有効か否かの判定を行う。例えば、図６の（ａ）に示すようにタップタイマ１周期に電圧ＯＮを２回検出した場合、タップ有効と判断し、画面５０の座標軸上に登録されたボタン５１〜５９のプログラムの実行を行う。また、図６（ｂ）に示すようにタップタイマ１周期に電圧ＯＮを検出しなかった場合は、タップ無効の判断を行う。このようなタップ操作により、一度指７０で触れてしまったために起こる操作ミスを防ぐことができる。
【００２３】
次に、図７に示すフローチャートを用いて補助入力装置３２の制御について説明する。コントローラ３３は、補助入力装置３２における操作面３の電圧変化を検出する（ステップＳ７０１）。操作面３上での接触による電圧変化を検出した場合、補助入力装置３２の操作面３上における電圧変化ポイントの座標を測定する（ステップＳ７０２）。
【００２４】
ステップＳ７０３では、ステップＳ７０２において測定された電圧変化ポイントに登録されたプログラムがあるか否かを判別する。電圧変化ポイントに登録されたプログラムがない場合、ステップＳ７０１に戻る。
【００２５】
ステップＳ７０３において、電圧変化ポイントに登録されたプログラムが存在する場合、コントローラ３３は、タップタイマをスタートさせる（ステップＳ７０４）。タップタイマのスタートは、図５に示す指７０が操作面６０を離れた電圧ＯＦＦの時点とする。そして、コントローラ３３は、指７０が操作面６０に接触した状態である電圧ＯＮ、すなわちタップを検出する（ステップＳ７０５）。タップタイマの１周期後（ステップＳ７０６）、コントローラ３３は、タップタイマ１周期の電圧変化を計算し（ステップＳ７０７）、タップが有効か否かを判断する（ステップＳ７０８）。例えば、コントローラ３３は、図６（ａ）に示すタップタイマの１周期に電圧ＯＮを２回検出した場合をタップ有効と判断し、図６（ｂ）に示すタップタイマの１周期に電圧ＯＮを検出しなかった場合をタップ無効と判断する。
【００２６】
ステップＳ７０８において、タップが無効であると判断した場合、ステップＳ７０１に戻り、電圧変化の検出状態とする。また、タップが有効であると判断した場合、電圧変化位置に登録されたプログラムを実行する（ステップＳ７０９）。
【００２７】
このような制御によれば、使用者は操作ミスを防ぐことができ、かつ直感的に入力操作することができる。
【００２８】
また、上述の入力制御では、ステップＳ７０２で測定された電圧変化位置に登録されたプログラムがある場合、すなわち、プログラムが登録された領域に対応した操作面上の領域に使用者の指が接触した場合、タップが有効か否かの判断をすることとしたが、画面上の位置を示すポインタを用いて入力操作してもよい。このポインタを用いれば、画面上に表示するオブジェクトの大きさに対する操作面上の指の領域を考慮しなくてもよいため、画面上に一度に表示するオブジェクト数を増やすことができる。
【００２９】
次に、このポインタを用いた入力操作について図８を用いて説明する。図８は、画面上の位置を示すポインタを操作するポインティングデバイスの一つであるタッチパッドを用いた場合の操作を示した図である。画面８１上のポインタ位置８２１からポインタ位置８２２への移動（矢印Ａ）は、タッチパッドの操作面８３を指８４で矢印ａの方向になぞることにより移動する。また、画面８１上のポインタ位置８２２からポインタ位置８２３への移動（矢印Ｂ）は、タッチパッドの操作面８３を指８４で矢印ｂの方向になぞることにより移動する。つまり、操作面８３上で指８４を移動させた方向である矢印ａ及び矢印ｂは、背面の配置された画面８１側から見ると、画面８１上のポインタの移動方向である矢印Ａ及び矢印Ｂとそれぞれ同一となる鏡像関係にある。
【００３０】
使用者は、このようなポインタ操作によって、ポインタをプログラムが登録されたオブジェクト上に移動させ、タップ操作をすることにより、そのプログラムの実行を行う。この際のタップ操作におけるタップ有効の判断は、図６を用いて説明したものと同様である。
【００３１】
このように画面の位置を示すポイントを用いることにより、画像上に表示されるオブジェクト数は、タッチパネル式に比べて制限されることはない。また、ポイントを操作する操作面は画面の背面に配置されていることにより、直接的に入力操作をおこなうことができる。
【００３２】
次に、図９に示すフローチャートを用いてポインタ操作について説明する。コントローラ３３は、補助入力装置３２であるタッチパッドの操作面８３の電圧変化を検出する（ステップＳ９０１）。接触による電圧変化を検出した場合、操作面８３上における電圧変化ポイントの座標を測定し（ステップＳ９０２）、表示部３７の画面８１に対応する位置にポインタを表示する（ステップＳ９０３）。
【００３３】
ステップＳ９０４では、操作面８３上の電圧変化ポイントの移動を検出する。コントローラ３３が移動を検出した場合、ステップＳ９０２に戻り、電圧変化ポイントの座標を測定する。そして、操作面８３上の電圧変化ポイントの移動量に応じて画面８１上のポインタ位置８２を移動させる（ステップＳ９０３）。
【００３４】
ステップＳ９０４において、電圧変化点が移動しない場合、指８４が操作面８３に接触していないため、コントローラ３３は、電圧が変化しない状態である電圧ＯＦＦを検出する（ステップＳ９０５）。ステップＳ９０５において、電圧ＯＦＦを検出しなかった場合、すなわち指８４が操作面８３に接触している場合、ステップＳ９０２に戻る。また、電圧ＯＦＦを検出した場合、すなわち指８４が操作面８３に接触していない場合、画面８１上のポインタ位置８２の座標を測定する（ステップＳ９０６）。
【００３５】
ステップＳ９０７では、ステップＳ９０６において測定されたポインタ位置８２の座標上に登録されたプログラムがあるか否かを判別する。ポインタ座標上に登録されたプログラムがない場合、ステップＳ９０１に戻る。つまり、画面８１上にはポインタが表示されていない状態とする。この際、ある一定時間は、画面８１上にポインタを表示させておくことが望ましい。
【００３６】
ステップＳ９０７において、ポインタ座標に登録されたプログラムが存在する場合、コントローラ３３は、タップタイマをスタートさせる（ステップＳ９０８）。タップタイマのスタートは、指８４が操作面８３を離れた電圧ＯＦＦの時点である。そして、コントローラ３３は、指８４が操作面８３に接触した状態である電圧ＯＮ、すなわちタップを検出する（ステップＳ９０９）。コントローラ３３は、タップタイマ１周期の電圧変化を計算し（ステップＳ９１０）、タップが有効か否かを判断する（ステップＳ９１１）。例えば、図６（ａ）に示すようにタップタイマの１周期に電圧ＯＮを２回検出した場合をタップ有効と判断し、図６（ｂ）に示すようにタップタイマの１周期に電圧ＯＮを検出しなかった場合をタップ無効と判断する。
【００３７】
ステップＳ９１２において、タップが無効であると判断した場合、ステップＳ９０１に戻り、ある一定時間、画面８１上にはポインタが表示されていない状態とする。また、タップが有効であると判断した場合、ポインタ位置に登録されたプログラムを実行する（ステップＳ９１３）。
【００３８】
このような制御によれば、操作面上のタップ位置と表示されたポインタの電圧ＯＦＦ位置とが対応した位置でなくても、タップが有効か否かが判断されるので、画面８１と同等な大きさを有する操作面８３が設置できない場合でも直感的な操作が可能となる。
【００３９】
本発明によれば、設定メニュー等の情報を表示する画面の背面にポインタを操作するタッチパッドを配置することにより、操作に必要な視線の移動を最小限にして使用者の負担を軽減させることができる。また、タッチパネル式で見られるような画面を指で覆い隠すなどの視野の妨げや、画面の汚れや傷が発生しない。また、画面への視線を一定に保つことができるため、直感的な入力操作を行うことができる。
【００４０】
なお、上述の説明では、圧力による電圧変化を検出する感圧式の操作面を用いることとしたが、層状にＸ電極とＹ電極を形成し、その格子状の電極間における静電容量の変化を検出する静電容量式の操作面を用いることも可能である。
【図面の簡単な説明】
【００４１】
【図１】本実施の形態における撮像装置を示す外観斜視図である。
【図２】本実施の形態における撮像装置を示す外観斜視図である。
【図３】本実施の形態における撮像装置の構成を示すブロック図である。
【図４】本実施の形態における補助入力装置を説明するための図である。
【図５】本実施の形態における補助入力装置の操作を説明するための図である。
【図６】本実施の形態における補助入力装置のタップ操作を説明するための図である。
【図７】本実施の形態における制御動作を示すフローチャートである。
【図８】本実施の形態における補助入力装置の操作を説明するための図である。
【図９】本実施の形態における制御動作を示すフローチャートである。
【符号の説明】
【００４２】
１    撮像装置、  ２    レンズ、  ３    操作面、  ４    ＬＣＤ、  ５    ファインダ、  ６    スイッチ、  ３１    操作スイッチ、  ３２    補助入力装置、  ３３    コントローラ、  ３４    ＧＵＩ、  ３５    撮像部、  ３６    画像処理部、  ３７    表示部、
【図１】
2006100998.tif 000003
【図２】
2006100998.tif 000004
【図３】
2006100998.tif 000005
【図４】
2006100998.tif 000006
【図５】
2006100998.tif 000007
【図６】
2006100998.tif 000008
【図７】
2006100998.tif 000009
【図８】
2006100998.tif 000010
【図９】
2006100998.tif 000011